(57)【要約】  発光ダイオード又はデバイス（LED）パッケージが、基板と、該基板の上にある白色LEDと、白色LEDの波長変換器の上に又は波長変換器の横にオフセットされて位置されているバイオレットLEDとを含む。
2019519909.tif 000002
【特許請求の範囲】
【請求項１】
発光ダイオード又はデバイス（LED）であって、
基板；
該基板の上にあり、波長変換器を含む白色LED；及び
バイオレットLED又はバイオレットレーザー；
を含み、
前記バイオレットLED又はバイオレットレーザーが、前記波長変換器の上に又は横にオフセットされて位置されている、
発光ダイオード又はデバイス。
【請求項２】
請求項１に記載の構造体であり、
前記白色LEDが、前記基板の上に取り付けられている青色LEDを含み；
前記波長変換器が、前記青色LEDの上に取り付けられており；かつ
前記バイオレットLEDが、前記波長変換器の上に取り付けられている、
構造体。
【請求項３】
請求項２に記載の構造体であり、
前記バイオレットLEDが横方法ダイを含み、該ダイがその頂部に電気的接点を有する、
構造体。
【請求項４】
請求項３に記載の構造体であり、
前記波長変換器が、セラミック蛍光体を含む、
構造体。
【請求項５】
請求項４に記載の構造体であり、さらに
前記青色LED及び前記波長変換器の横方向表面の上に反射性側部コーティングを含む、構造体。
【請求項６】
請求項１に記載の構造体であり、さらに
前記バイオレットLEDからの光を前記波長変換器の上に方向付ける光学素子を含み、
前記光学素子が、バイオレットLEDの放射表面又はミラーの上に取り付けられている、
構造体。
【請求項７】
請求項１に記載の構造体であり、さらに
前記バイオレットLED及び前記白色LEDからの光を混合するダイクロイックコンバイナを含み、
前記ダイクロイックコンバイナは、バイオレットLED及び前記白色LEDの放射表面に対して角度を付けて取り付けられているプレート；又は
白色LEDの発光表面及びバイオレットLEDの発光表面にそれぞれ対向する底部表面及び横方向表面を有するダイクロイックキューブ；
を含む、
構造体。
【請求項８】
請求項１に記載の構造体であり、さらに
光ガイド及びフォーカスレンズを含み、
前記バイオレットレーザーが、前記光ガイドの第１端部に取り付けられ、
前記フォーカスレンズが、前記光ガイドの第２端部に取り付けられ、かつ
前記フォーカスレンズが、前記バイオレットレーザーからの光を前記波長変換器の上へと方向付ける、
構造体。
【請求項９】
発光ダイオード又はデバイス（LED）のための光生成方法であって、
波長変換器を含む白色LEDを用いて白色光を生成するステップ；及び
バイオレットLED又はバイオレットレーザーを用いてバイオレット光を生成するステップ；
を含み、
前記バイオレットLED又はバイオレットレーザーが、前記波長変換器の上に又は前記波長変換器の横にオフセットされて位置されている、
光生成方法。
【請求項１０】
請求項９に記載の光生成方法であり、
前記白色LEDが、基板の上に取り付けられている青色LEDを含み；
前記波長変換器が、前記青色LEDの上に取り付けられており；かつ
前記バイオレットLEDが、前記波長変換器の上に取り付けられている、
光生成方法。
【請求項１１】
請求項１０に記載の光生成方法であり、
前記バイオレットLEDが前記白色LEDにより放射された光に対して透明である、
光生成方法。
【請求項１２】
請求項１１に記載の構造体であり、
前記バイオレットLEDが横型ダイを含み、該ダイがその頂部に電気的接点を有する、
光生成方法。
【請求項１３】
請求項１１に記載の光生成方法であり、
前記波長変換器が、セラミック蛍光体を含む、
光生成方法。
【請求項１４】
請求項１３に記載の光生成方法であり、さらに
反射性側部コーティングを用いて、光を前記青色LED及び前記波長変換器の横方向表面の上に方向付けるステップ；
を含む、光生成方法。
【請求項１５】
請求項１１に記載の光生成方法であり、さらに
前記バイオレットLEDからの光を前記波長変換器の上に方向付けるステップ、又はダイクロイックプレート若しくはダイクロイックキューブを用いて前記白色LEDにより放射された光及び前記バイオレットLEDにより放射された光を混合するステップ；
を含む、光生成方法。
【発明の詳細な説明】
【技術分野】
【０００１】
本開示は、半導体発光ダイオード又は発光デバイス（LED）に関し、より詳細には、LEDランプに関する。
【背景技術】
【０００２】
昼光によって照らされたとき、天然繊維から作られた布地のような未処理の白色物品は、肉眼では黄色又は象牙色に見える傾向がある。これらの繊維は、入射した白色光の青色成分を吸収し、結果として黄色がかった反射光を生じる。
【０００３】
デザイナーは、蛍光増白剤（FWA）を染料、インク、さらには洗濯用洗剤などに組み込んで、布地を明るくする。これらの薬剤は、人間の目では見ることが困難な近紫外、紫色、深青色のスペクトルの波長の光子を吸収する。吸収された光子のエネルギーは、より長い波長（典型的には青色スペクトル）を有する光子の形態で布地によって再放出される。布地にFWAを組み込むことで、デザイナーは、白い布地からの反射光における青色スペクトル成分の自然な欠損を補償することができる。
【０００４】
従来の白色発光ダイオード又はデバイス（LED）は、黄色発光蛍光体で覆われた青色発光LEDから白色光を生成する。そのような白色LEDは、白色物体内のFWAを活性化するための近紫外、紫色及び深青色のスペクトルにおいて十分なスペクトル内容を有していない。
【０００５】
米国特許出願公開第2015/0049459号公報は、400〜440nmの波長範囲に発光ピークを有する第1の発光素子と、440〜460nmの波長範囲に発光ピークを有する第2の発光素子とを有する発光モジュールを開示している。第1及び第2の発光素子は、波長変換素子の下方に位置づけられる。波長変換素子は、第1の発光素子からの光を受光するように配置され、緑色から赤色の波長範囲に発光ピークを有する光を放射することができる。この発光モジュールは、「鮮明な白色」又は「明白色」（crispy  white）を有する白色光をもたらす。
【発明の概要】
【０００６】
本開示の1つ以上の例である発光ダイオード又はデバイス（LED）パッケージは、基板と、基板の上の白色LEDと、白色LEDの波長変換器の上方の或いは波長変換器の上方で横方向にオフセットされたバイオレットLEDとを含む。
【図面の簡単な説明】
【０００７】
【図１】白色発光ダイオード又はデバイス（LED）パッケージの発光スペクトルを示す。
【図２】イットリウム・アルミニウム・ガーネット（YAG）蛍光体の吸収スペクトルと人間の目の感度曲線を示す。
【図３】本開示の実例におけるバイオレットLEDを有するそのようなLEDパッケージの発光スペクトルを示す。
【図４】本開示の実例のLEDパッケージを示す。
【図５】本開示の実例のLEDパッケージを示す。
【図６】本開示の実例のLEDパッケージを示す。
【図７】本開示の実例のLEDパッケージを示す。
【図８】本開示の実例のLEDパッケージを示す。
【０００８】
同様の参照符号は同様の又は等しい素子等を指す。
【発明を実施するための形態】
【０００９】
図1は、白色発光ダイオード又はデバイス（LED）パッケージの発光スペクトルを示す。図から分かるように、430ナノメートル（nm）未満のスペクトル含有量は非常に低い。白色度Wと呼ばれる、この波長範囲における分光スペクトル含有量の測定値を以下の式により算出する。
【００１０】
【数１】
2019519909.tif 000003
【００１１】
表１は、図１に示す発光スペクトルのための性能データを与える。
【００１２】
【表１】
2019519909.tif 000004
【００１３】
カリフォルニア州サンノゼのLumileds社から出ている明白色（CrispWhite）テクノロジーを搭載したLUXEON  チップオンボード（CoB）は、ほぼ全ての衣服、織物、塗料に含まれる蛍光増白剤を活性化するために、深い青色スペクトル内でより多くの光を提供するように設計されている。従来の白色LEDと同様に、明白色（CrispWhite）テクノロジーを採用したLUXEON  CoBは、455nmの典型的なピーク波長を持つ青色LEDに依存し、黄緑色波長及び赤色波長を放射する蛍光体でコーティングしている。青色、黄緑色及び赤色光の組み合わせは、所望の白色光を生成する。
【００１４】
蛍光増白剤を励起するために、明白色テクノロジーを使用したLUXEON  CoBには、ピーク波長が430nm未満のバイオレット光を放射するいくつかのダイが含まれており、青色LEDとバイオレットLEDの両方を蛍光体で覆っている。第2のピークは、400nm〜415nmの間の深青色である。この波長は、蛍光増白剤を刺激するのに十分短いだけでなく、蛍光増白剤で処理されていない物品で知覚される光に対してほとんど影響を与えないほど十分に眼の波長感度曲線の端に向かっている。
【００１５】
蛍光体の下に青色LED及びバイオレット色LEDの両方を配置するLEDパッケージは、通常、発光領域全体を占めるはずの青色LEDのサイズ（減少）によって光束及び輝度が制限されるため、白色光束が減少するという欠点がある。その蛍光体は430nm未満の波長の光をほとんど吸収せず、人間の眼は430nm未満の波長の光に対して感度が低いので、バイオレットLEDは寄与しない。図２は、イットリウムアルミニウムガーネット（YAG）蛍光体の吸収スペクトル及び人間の眼の感度曲線を示している。
【００１６】
本開示の実施例では、LEDパッケージは、青色LED、青色LEDの上方の波長変換器、及び波長変換器の上方に又は側方に配置されたバイオレットLEDを含む。図３は、本開示の実施例において、例えば405nmでピーク放射を有するバイオレットLEDを含むそのようなLEDパッケージの発光スペクトルを示す。
【００１７】
表２は、図３に示す発光スペクトルについての性能データを与える。
【００１８】
【表２】
2019519909.tif 000005
【００１９】
表1及び表2の両方の発光スペクトルのデータを比較すると、色点がわずかにずれることが示され、白色度Wは0.13から2.49に増加し、発光フラックスは実質的に一定のままである。
【００２０】
図4は、本開示の実施例におけるLEDパッケージ400を示す。パッケージ400は、基板402と、基板402の上方の白色発光LED404と、白色LED404の上方のバイオレット発光LED406とを含む。本明細書で使用する「上」及び「上方」は、要素が他の要素に直接取り付けられることも離れていることも含む。
【００２１】
基板402は、サブマウント又は回路基板であってよい。
【００２２】
白色発光LED404は、430〜480nm（例えば、455nm）の間などの430nmを超えるピーク波長を有する。白色発光LED404は、青色発光LEDダイ408と、青色LEDダイ408の上にある波長変換器410とを含む。青色発光LEDダイ408は、パターンサファイア基板（PSS）上に形成された垂直又は薄膜フリップチップ（TFFC）ダイであってよい。
【００２３】
バイオレット発光LED406は、波長変換器410の上に配置されている。バイオレット発光LED406は波長変換器410にバイオレット（紫色）光を放射し、波長変換器410はバイオレット光を散乱し、白色光とともにバイオレット光を放射する。ある場合には、波長変換器410は、バイオレット光の一部を吸収して赤色光を放射する蛍光体（例えば、赤色蛍光体）を含んでよい。バイオレット発光LED406は、400nm〜415nm（例えば、405nm）の間などの430nm未満のピーク波長を有する。バイオレット発光LED406は、白色発光LED404によって放射される光に対して透明である。バイオレットLED406は、ダイの頂面に電気的接点を有する横型ダイであってもよく、電気的接点は基板402内の接点に（例えばボンディングワイヤで）電気的に接続されてもよい。
【００２４】
波長変換器410は、黄緑色蛍光体、赤色蛍光体、又は黄緑色蛍光体と赤色蛍光体との組み合わせを含む。波長変換器410は、カリフォルニア州サンノゼのLumileds社から出ているLumiramicなどのYAGセラミック蛍光体プレートであってもよい。
【００２５】
輝度を高めるために、パッケージ400は、白色発光LED404の横表面に（すなわち、青色発光LEDダイ408及び波長変換器410の横方向表面に）反射性側部コーティング412を含むことができる。
【００２６】
図5は、本開示の実施例におけるLEDパッケージ500を示す。パッケージ500は、基板402と、基板402の上の白色発光LED404と、バイオレット発光LED502と、光学素子504とを含む。
【００２７】
バイオレット発光LED502は、白色発光LED404の波長変換器410から横方向にオフセットされている。バイオレットLED502は、白色発光LED404によって放射される光に対して透明である。バイオレットLED502は、ダイの頂面に電気的接点を有する横型ダイであってもよい。
【００２８】
光学素子504は、バイオレットLED502からのバイオレット光を波長変換器410上にイメージングする（写す）。光学素子504は、イメージングミラーであってよい。
【００２９】
波長変換器410は、黄緑色蛍光体、赤色蛍光体、又は黄緑色蛍光体と赤色蛍光体との組み合わせを含む。波長変換器410は、シリコーンマトリックス材料中に混合されたYAG蛍光体であってもよい。
【００３０】
パッケージ500は、白色発光LED404の横方向表面に（すなわち、青色発光LEDダイ408及び波長変換器410の横方向表面に）反射性側部コーティング412を含むことができる。
【００３１】
図6は、本開示の実施例におけるLEDパッケージ600を示す。パッケージ600は、基板402と、基板402の上の白色発光LED404と、バイオレット発光LED602と、ダイクロイックコンバイナ（dichroic  combiner）604とを含む。
【００３２】
バイオレット発光LED602は、白色発光LED404の波長変換器410から横方向にオフセットされている。バイオレット発光LED602は、白色発光LED404の隣で、基板402の上に取り付けられている。ある実施例では、ダイクロイックコンバイナ604は、白色発光LED404の水平放射表面及びバイオレット発光LED602の垂直放射面に対して、ある角度（例えば、45度）で取り付けられてそれらの光を混合するダイクロイックプレート又はミラーであってよい。他の実施例では、ダイクロイックコンバイナ604は、白色発光LED404の青色発光表面及びバイオレット発光LED602の発光表面にそれぞれ対向する底部表面及び横方向表面を有するダイクロイックキューブであってもよい。
【００３３】
パッケージ600は、白色発光LED404の横方向表面に（すなわち、青色発光LEDダイ408及び波長変換器410の横方向表面に）反射性側部コーティング412を含むことができる。
【００３４】
図7は、本開示の実施例におけるLEDパッケージ700を示す。パッケージ700は、基板402と、基板402の上の白色発光LED404と、バイオレット発光レーザー702と、光ガイド704と、フォーカスレンズ706とを含む。
【００３５】
バイオレット放射レーザー702は光ガイド704の一端に結合され、フォーカスレンズ706は光ガイド704の他端に結合される。バイオレット放射レーザー702は、光ガイド704内へとバイオレット光を放出し、その光はフォーカスレンズ706により白色LED404の波長変換器410へと方向付けられる。
【００３６】
パッケージ700は、白色発光LED404の横方向表面に（すなわち、青色発光LEDダイ408及び波長変換器410の横方向表面に）反射性側部コーティング412を含むことができる。
【００３７】
図8は、本開示の実施例におけるLEDパッケージ800を示す。パッケージ800は、基板402と、基板402上の白色発光LED404と、バイオレット発光LED802と、フォーカスレンズ804とを含む。
【００３８】
バイオレット発光LED802は、白色発光LED404の隣で、基板402の上に取り付けられている。バイオレット発光LED802は、その放射表面が白色LED404の発光表面に向けられるような角度で取り付けることができる。フォーカスレンズ804がバイオレット発光LED802の発光表面に取り付けられている。バイオレット発光LED802はバイオレット光を発し、そのバイオレット光はフォーカスレンズ804によって白色LED404の波長変換器410上に指向される。波長変換器410はバイオレット光を散乱し、白色光とともに放射する。
【００３９】
パッケージ800は、白色発光LED404の横方向表面に（すなわち、青色発光LEDダイ408及び波長変換器410の横方向表面に）反射性側部コーティング412を含むことができる。
【００４０】
開示してきた実施形態の特徴の様々な変形及び組合せは、本発明の範囲内である。多くの実施形態が、添付の特許請求の範囲により包含される。
【図１】
2019519909.tif 000006
【図２】
2019519909.tif 000007
【図３】
2019519909.tif 000008
【図４】
2019519909.tif 000009
【図５】
2019519909.tif 000010
【図６】
2019519909.tif 000011
【図７】
2019519909.tif 000012
【図８】
2019519909.tif 000013
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
発光ダイオード又は発光デバイス（LED）パッケージであって、
基板；
該基板の上にあり、波長変換器を含む白色LED；及び
バイオレットLED又はバイオレットレーザー；
を含み、
前記バイオレットLED又はバイオレットレーザーが、前記波長変換器の上に又は横にオフセットされて位置されており、
前記発光ダイオード又は発光デバイス（LED）パッケージが、前記バイオレットLED又はバイオレットレーザーからの光を前記波長変換器の上に方向付けるように構成されている、パッケージ。
【請求項２】
請求項１に記載のパッケージであり、
前記白色LEDがさらに、前記基板の上に取り付けられている青色LEDを含み；
前記波長変換器が、前記青色LEDの上に取り付けられており；かつ
前記バイオレットLEDが、前記波長変換器の上に取り付けられている、
パッケージ。
【請求項３】
請求項２に記載のパッケージであり、
前記バイオレットLEDが横型ダイを含み、該ダイがその頂部に電気的接点を有する、
パッケージ。
【請求項４】
請求項３に記載のパッケージであり、
前記波長変換器が、セラミック蛍光体を含む、
パッケージ。
【請求項５】
請求項４に記載のパッケージであり、さらに
前記青色LED及び前記波長変換器の横方向表面の上に反射性側部コーティングを含む、パッケージ。
【請求項６】
請求項１に記載のパッケージであり、さらに
前記バイオレットLEDからの光を前記波長変換器の上に方向付ける光学素子を含み、
前記光学素子が前記バイオレットLEDの放射表面又はミラーの上に取り付けられているフォーカスレンズを含む、
パッケージ。
【請求項７】
請求項１に記載のパッケージであり、さらに
光ガイド及びフォーカスレンズを含み、
前記バイオレットレーザーが前記光ガイドの第１端部に取り付けられ；
前記フォーカスレンズが前記光ガイドの第２端部に取り付けられ；かつ
前記フォーカスレンズが、前記バイオレットレーザーからの光を前記波長変換器の上に方向付ける、
パッケージ。
【請求項８】
発光ダイオード又は発光デバイス（LED）パッケージのための光生成方法であって、
波長変換器を含む白色LEDを用いて白色光を生成するステップ；及び
バイオレットLED又はバイオレットレーザーを用いてバイオレット光を生成するステップ；
を含み、
前記バイオレットLED又はバイオレットレーザーが、前記波長変換器の上に又は前記波長変換器の横にオフセットされて位置されており、
当該光生成方法がさらに、前記バイオレットLED又はバイオレットレーザーからの光を前記波長変換器の上に方向付けるステップ；
を含む光生成方法。
【請求項９】
請求項８に記載の光生成方法であり、
前記白色LEDが、基板の上に取り付けられている青色LEDを含み；
前記波長変換器が、前記青色LEDの上に取り付けられており；かつ
前記バイオレットLEDが、前記波長変換器の上に取り付けられている、
光生成方法。
【請求項１０】
請求項９に記載の光生成方法であり、
前記バイオレットLEDが前記白色LEDにより放射された光に対して透明である、
光生成方法。
【請求項１１】
請求項１０に記載の光生成方法であり、
前記バイオレットLEDが横型ダイを含み、該ダイがその頂部に電気的接点を有する、
光生成方法。
【請求項１２】
請求項１１に記載の光生成方法であり、
前記波長変換器が、セラミック蛍光体を含む、
光生成方法。
【請求項１３】
請求項１２に記載の光生成方法であり、さらに
反射性側部コーティングを用いて、光を前記青色LED及び前記波長変換器の横方向の上に反射するステップを含む光生成方法。
【国際調査報告】
2019519909.tif 000014
2019519909.tif 000015
2019519909.tif 000016